(57)【要約】【課題】無線リンクが切断された場合における通信性能の低下を抑制することの可能な無線通信装置を提供する。【解決手段】通信相手との無線通信を実現する通信部と、前記通信相手との間の無線リンクの状態を検出する検出部と、前記通信相手へのデータ送信中に、前記検出部によって前記無線リンクの回復が検出された場合、前記通信部を制御して送信中のデータを再送する制御部とによって無線通信装置を構成する。【選択図】図１
2011071782.tif 000002
【特許請求の範囲】
【請求項１】
通信相手との無線通信を実現する通信部と、
前記通信相手との間の無線リンクの状態を検出する検出部と、
前記通信相手へのデータ送信中に、前記検出部によって前記無線リンクの回復が検出された場合、前記通信部を制御して送信中のデータを再送する制御部と、
を備えることを特徴とする無線通信装置。
【請求項２】
前記通信相手へのデータ送信開始からタイムアウト時間の計時を開始する計時部を備え、
前記制御部は、前記計時部から前記タイムアウト時間の満了を通知された場合、前記通信部を制御して送信中のデータを再送する一方、前記計時部から前記タイムアウト時間の満了を通知される前であっても、前記検出部によって前記無線リンクの回復が検出された場合には、前記通信部を制御して送信中のデータを再送することを特徴とする請求項１に記載の無線通信装置。
【請求項３】
前記制御部は、前記検出部によって前記無線リンクの回復が検出されてから所定時間経過後に、前記通信部を制御して送信中のデータを再送することを特徴とする請求項１または２に記載の無線通信装置。
【請求項４】
前記制御部は、前記検出部によって前記無線リンクの回復が検出されてから所定時間経過する前に、前記検出部によって前記無線リンクの切断が検出された場合には、前記データの再送を行わないことを特徴とする請求項３に記載の無線通信装置。
【請求項５】
前記検出部は、前記通信相手から受信した無線信号の強度に基づいて前記無線リンクの状態を検出することを特徴とする請求項１〜４のいずれか一項に記載の無線通信装置。
【発明の詳細な説明】
【技術分野】
【０００１】
本発明は、無線通信装置に関する。
【背景技術】
【０００２】
従来から、無線通信システムにおける再送制御方式の１つとして、自動再送要求（ＡＲＱ：Automatic Repeat reQuest）が広く利用されている。例えば、Stop-and-Wait方式のＡＲＱでは、送信側は１パケットを受信側へ送信する度に、受信側からの受信確認信号（ＡＣＫ：Acknowledgement）の返送を待ち、ＡＣＫパケットの返送があれば次パケットの送信を行う一方、ＡＣＫパケットの返送がないままＡＣＫタイムアウト時間が満了した場合には同一パケットを受信側へ再送する。
【０００３】
以下、図４を用いて詳細に説明する。図４に示すように、送信側にて発生した送信すべきパケットＰ１乃至パケットＰ５は、パケットＰ１から順次受信側へ送信される。受信側で受信された場合には受信側はＡＣＫパケットを送信側へ返送する。パケットＰ１、パケットＰ２、パケットＰ３までは受信側で正常に受信されるため、受信側は送信側へＡＣＫパケットを返送する。しかし、パケットＰ４は受信側へ到達せず、若しくは正常に受信できないため、受信側はＡＣＫパケットを返送しない。この時、送信側はＡＣＫタイムアウト時間だけＡＣＫパケットが返送されるのを待ち、その後、送信側はパケットＰ４の送信に失敗したと判断してパケットＰ４を再送する。
【０００４】
このＡＣＫタイムアウト時間は、送信側と受信側との間でパケットの送受信にかかる時間（ＲＴＴ：Round Trip Time）を基に設定される。従って、送信側と受信側とが離れた位置にあり、ＲＴＴが増大する場合（つまりＡＣＫタイムアウト時間が増大する場合）、送信側がＡＣＫパケットを受信するまで待機する時間が長くなり、結果として通信性能が低下する虞がある。
【０００５】
上記のようなＡＲＱにおけるＡＣＫタイムアウト時間の増大は、上位レイヤにてＴＣＰ(Transmission Control Protocol)を用いるような通信システムの通信性能を著しく低下させる要因となる。すなわち、レイヤ２におけるＡＲＱにより送信できなかったパケットを再送するために、ＡＣＫタイムアウト時間が満了するまで送信側は待機することになるが、この時、上位レイヤにおけるＴＣＰは通信路に輻輳が発生したものと判断して送信データ量を低下させてしまう。さらに、その場合、レイヤ２にて再送が成功して通信が可能となっても、ＴＣＰは送信データ量を少しずつしか増加させていかないため、通信性能が低下した状態がしばらく継続することになる。
【０００６】
このような課題に対し、例えば下記特許文献１（特開２００５−２４４８９７号公報）には、送信側ではパケットデータを送信する際に、使用可能な帯域の範囲内でパケットデータを冗長化して送信し、受信側では冗長化分を破棄してパケットデータを受け取ることにより、パケットデータが喪失する可能性を低くし、再送が生じにくくする技術が開示されている。
【先行技術文献】
【特許文献】
【０００７】
【特許文献１】特開２００５−２４４８９７号公報
【発明の概要】
【発明が解決しようとする課題】
【０００８】
上記特許文献１の技術では、例えば、無線通信路がミリ波のような非常に指向性が強いものであって、その無線通信路が鳥などの障害物によって遮断されて無線リンクが切断された場合、冗長化されたパケットデータ全てが喪失してしまう可能性がある。その場合には再送が発生するため、送信側はＡＣＫタイムアウト時間が満了するまで、受信側からのＡＣＫパケットの返送を待つことになり、また、ＡＣＫタイムアウト時間内に無線リンクが回復したとしても、パケットの再送はＡＣＫタイムアウト時間の満了後となる。すなわち、上記特許文献１の技術を採用したとしても、無線リンクが切断された場合には、ＴＣＰを用いる通信システムの通信性能が著しく低下する虞がある。
【０００９】
本発明は、上述した事情に鑑みてなされたものであり、無線リンクが切断された場合における通信性能の低下を抑制することの可能な無線通信装置を提供することを目的とする。
【課題を解決するための手段】
【００１０】
上記目的を達成するために、本発明に係る無線通信装置は、通信相手との無線通信を実現する通信部と、前記通信相手との間の無線リンクの状態を検出する検出部と、前記通信相手へのデータ送信中に、前記検出部によって前記無線リンクの回復が検出された場合、前記通信部を制御して送信中のデータを再送する制御部とを備えることを特徴とする。
【００１１】
また、本発明に係る無線通信装置は、前記通信相手へのデータ送信開始からタイムアウト時間の計時を開始する計時部を備え、前記制御部は、前記計時部から前記タイムアウト時間の満了を通知された場合、前記通信部を制御して送信中のデータを再送する一方、前記計時部から前記タイムアウト時間の満了を通知される前であっても、前記検出部によって前記無線リンクの回復が検出された場合には、前記通信部を制御して送信中のデータを再送することを特徴とする。
【００１２】
また、本発明に係る無線通信装置において、前記制御部は、前記検出部によって前記無線リンクの回復が検出されてから所定時間経過後に、前記通信部を制御して送信中のデータを再送することを特徴とする。
また、本発明に係る無線通信装置において、前記制御部は、前記検出部によって前記無線リンクの回復が検出されてから所定時間経過する前に、前記検出部によって前記無線リンクの切断が検出された場合には、前記データの再送を行わないことを特徴とする。
また、本発明に係る無線通信装置において、前記検出部は、前記通信相手から受信した無線信号の強度に基づいて前記無線リンクの状態を検出することを特徴とする。
【発明の効果】
【００１３】
本発明に係る無線通信装置によれば、通信相手へのデータ送信中に無線リンクが切断された場合でも、無線リンクの回復が検出されれば、送信中のデータの再送を行うため、従来のようにＡＣＫタイムアウト時間が満了するまで待機する必要はなく、通信性能の低下を抑制することが可能となる。
【図面の簡単な説明】
【００１４】
【図１】本実施形態における無線通信システムの構成概略図である。
【図２】本実施形態における基地局Ｂ及び移動局Ｔのブロック構成図である。
【図３】本実施形態における基地局Ｂ及び移動局Ｔの通信動作を示すシーケンスチャートである。
【図４】従来におけるStop-and-Wait方式ＡＲＱの動作説明図である。
【発明を実施するための形態】
【００１５】
以下、本発明の一実施形態について、図面を参照しながら説明する。
図１は、本実施形態における無線通信システムの構成概略図である。この図１において、符号Ｂ１〜Ｂ３はセル方式に従って各地に設置された基地局であり、符号Ｔ１〜Ｔ９は移動局（例えば、ユーザが所有する携帯電話機など）であり、符号Ｎは無線通信事業者が独自に構築した無線ネットワークである。
なお、図１においては、図示を簡略化するため、基地局を３台、移動局を９台ずつ図示しているが、実際には、基地局は全国各地に必要な数だけ設置されており、また、移動局は所有するユーザの数だけ存在するものである。
また、本実施形態における無線通信システムは、再送制御方式としてStop-and-Wait方式のＡＲＱを採用しているものと想定する。
【００１６】
基地局Ｂ１は、自身の担当する通信エリアＷ１内に存在する移動局Ｔ１、Ｔ２及びＴ３と無線通信を行う無線通信装置である。また、この基地局Ｂ１は、無線ネットワークＮを介して、他の基地局Ｂ２及びＢ３や不図示のサーバ等と、上記移動局Ｔ１〜Ｔ３との間の通信を中継する中継機として機能する。また、勿論、基地局Ｂ１は、移動局Ｔ１、Ｔ２、Ｔ３間の通信を中継する中継機としても機能する。
【００１７】
基地局Ｂ２は、自身の担当する通信エリアＷ２内に存在する移動局Ｔ４、Ｔ５及びＴ６と無線通信を行う無線通信装置である。また、この基地局Ｂ２は、無線ネットワークＮを介して、他の基地局Ｂ１及びＢ３や不図示のサーバ等と、上記移動局Ｔ４〜Ｔ６との間の通信を中継する中継機として機能する。また、勿論、基地局Ｂ２は、移動局Ｔ４、Ｔ５、Ｔ６間の通信を中継する中継機としても機能する。
【００１８】
基地局Ｂ３は、自身の担当する通信エリアＷ３内に存在する移動局Ｔ７、Ｔ８及びＴ９と無線通信を行う無線通信装置である。また、この基地局Ｂ３は、無線ネットワークＮを介して、他の基地局Ｂ１及びＢ２や不図示のサーバ等と、上記移動局Ｔ７〜Ｔ９との間の通信を中継する中継機として機能する。また、勿論、基地局Ｂ３は、移動局Ｔ７、Ｔ８、Ｔ９間の通信を中継する中継機としても機能する。
なお、以下では、各基地局Ｂ１〜Ｂ３を区別する必要がない場合には「基地局Ｂ」と総称し、また、各移動局Ｔ１〜Ｔ９を区別する必要がない場合には「移動局Ｔ」と総称する。
【００１９】
図２は、上述した基地局Ｂ及び移動局Ｔのブロック構成図である。この図２に示すように、基地局Ｂは、基地局無線装置１及び基地局制御装置２から構成されている。基地局無線装置１（通信部）は、基地局制御装置２による制御の下、自身の通信エリア内に存在する移動局Ｔとの間で無線信号の送受信を行うことで、通信相手である移動局Ｔとの無線通信を実現するものである。
【００２０】
具体的には、この基地局無線装置１は、基地局制御装置２から入力されるパケットデータ（以下、単にパケットと称す）の変調及び周波数変換（アップコンバート）を行うことで無線信号を生成し、当該無線信号をアンテナを介して移動局Ｔへ送信する。また、この基地局無線装置１は、アンテナを介して移動局Ｔから受信した無線信号の周波数変換（ダウンコンバート）及び復調を行うことで無線信号に含まれるパケットを抽出し、当該抽出したパケットを基地局制御装置２に出力する。
【００２１】
さらに、この基地局無線装置１は、内部にリンク状態検出部１ａを備えている。このリンク状態検出部１ａ（検出部）は、通信相手である移動局Ｔから受信した無線信号の強度（ＲＳＳＩ：Received Signal Strength Indicator）に基づいて、移動局Ｔとの間の無線リンクの状態を検出し、その検出結果を示す信号を基地局制御装置２に出力するものである。具体的には、このリンク状態検出部１ａは、移動局Ｔから受信した無線信号のＲＳＳＩが所定値を越えた場合に、移動局Ｔとの間の無線リンクが回復したことを示すリンクアップ検出信号を基地局制御装置２に出力する。
【００２２】
基地局制御装置２は、基地局Ｂの全体動作を統括制御するものであり、送信データバッファ２ａ、タイマ部２ｂ（計時部）及び通信制御部２ｃ（制御部）を備えている。送信データバッファ２ａは、無線ネットワークＮから送信されるデータ（パケット）を、ユーザ毎に（送信先の移動局毎に）グループ化してバッファリングする記憶装置である。タイマ部２ｂは、通信制御部２ｃからの指示に応じて計時動作の開始及び終了を行うものであり、具体的には、移動局Ｔへのパケット送信開始からＡＣＫタイムアウト時間の計時を開始し、当該ＡＣＫタイムアウト時間が満了した場合にはその旨を通信制御部２ｃに通知する。
【００２３】
通信制御部２ｃは、送信データバッファ２ａから送信すべきパケットを取り出し、基地局無線装置１を制御して取り出したパケットを移動局Ｔに送信する機能（パケットスケジューリング機能）を有している。なお、通信制御部２ｃは、送信データバッファ２ａから送信すべきパケットを取り出したタイミングをパケット送信開始タイミングとし、そのタイミングでタイマ部２ｂに対してＡＣＫタイムアウト時間の計時開始を指示する。
【００２４】
また、この通信制御部２ｃは、１パケットを移動局Ｔへ送信する度に、移動局Ｔからの受信確認信号（ＡＣＫパケット）の返送を待ち、ＡＣＫパケットの返送があれば（基地局無線装置１からＡＣＫパケットが入力されれば）、基地局無線装置１を制御して次パケットの送信を行う一方、ＡＣＫパケットの返送がないまま、タイマ部２ｂからＡＣＫタイムアウト時間の満了を通知された場合には、基地局無線装置１を制御して送信中のデータ（つまり同一パケット）を再送する機能（Stop-and-Wait方式のＡＲＱ機能）を有している。なお、通信制御部２ｃは、基地局無線装置１からＡＣＫパケットを入力されたタイミングで、タイマ部２ｂに対してＡＣＫタイムアウト時間の計時終了を指示する。
【００２５】
さらに、通信制御部２ｃは、本実施形態における特徴的な機能として、タイマ部２ｂからＡＣＫタイムアウト時間の満了を通知される前であっても、リンク状態検出部１ａによって無線リンクの回復が検出された場合、つまり、リンク状態検出部１ａからリンクアップ検出信号が入力された場合には、基地局無線装置１を制御して同一パケットを再送する機能を有している。
【００２６】
一方、移動局Ｔは、移動局無線装置３、操作キー４、表示装置５、マイク６、スピーカ７、メモリ８及び移動局制御装置９から構成されている。移動局無線装置３は、移動局制御装置９による制御の下、基地局Ｂとの間で無線信号の送受信を行うことで、通信相手である基地局Ｂとの無線通信を実現するものである。
【００２７】
具体的には、この移動局無線装置３は、移動局制御装置９から入力されるパケットの変調及び周波数変換（アップコンバート）を行うことで無線信号を生成し、当該無線信号をアンテナを介して基地局Ｂへ送信する。また、この移動局無線装置３は、アンテナを介して基地局Ｂから受信した無線信号の周波数変換（ダウンコンバート）及び復調を行うことで無線信号に含まれるパケットを抽出し、当該抽出したパケットを移動局制御装置９に出力する。
【００２８】
操作キー４は、テンキーやファンクションキー、通話キー、終話キー、多方向キーなどの各種操作キーから構成されており、ユーザによる各種操作キーの操作入力に応じた操作信号を移動局制御装置９に出力する。表示装置５は、例えば液晶表示装置であり、移動局制御装置９から入力される画像データに応じた画像を表示する。
【００２９】
マイク６は、外部入力される音声を電気信号である音声入力信号に変換し、当該音声入力信号を移動局制御装置９に出力する。スピーカ７は、移動局制御装置９から入力される音声出力信号に応じた音声を外部に出力する。メモリ８は、移動局Ｔの各種機能を実現するための端末制御プログラムや各種設定データを予め記憶していると共に、移動局制御装置９による制御に応じて、電話番号やメールアドレス、画像データなどの各種情報を記憶する不揮発性メモリ（例えばフラッシュメモリ）である。
【００３０】
移動局制御装置９は、メモリ８に記憶されている端末制御プログラムに従って、移動局Ｔの全体動作を統括制御するものである。具体的には、例えば、この移動局制御装置９は、ユーザによる操作キー４の操作に応じて、移動局無線装置３を制御することによって通話又は通信を実現する。また、この移動局制御装置９は、移動局無線装置３から入力されるパケットの巡回冗長検査（ＣＲＣ：Cyclic Redundancy Check）を行うことで、基地局Ｂからパケットを正常に受信できたか否かを判断し、正常に受信できている場合には、移動局無線装置３を制御してＡＣＫパケットを基地局Ｂへ送信する機能を有している。
【００３１】
次に、上記のように構成された基地局Ｂと移動局Ｔの通信動作について、図３のシーケンスチャートを参照しながら詳細に説明する。なお、以下では、基地局Ｂから移動局Ｔへパケット送信を行う場合（ダウンリンク）を例示して説明する。また、基地局Ｂと移動局Ｔとの間で、既に無線リンクが確立されており、無線通信を開始する準備ができていると想定する。
【００３２】
図３に示すように、まず、基地局Ｂにおいて、基地局制御装置２の通信制御部２ｃは、送信データバッファ２ａから最初に送信すべきパケットＰ１を取り出して基地局無線装置１に出力すると共に、タイマ部２ｂに対してＡＣＫタイムアウト時間の計時開始を指示する（ステップＳ１）。
そして、基地局無線装置１は、通信制御部２ｃの制御に応じて、パケットＰ１の変調及び周波数変換（アップコンバート）を行うことで無線信号を生成し、当該無線信号をアンテナを介して移動局Ｔへ送信する（ステップＳ２）。ここで、パケットＰ１を含む無線信号は正常に移動局Ｔにて受信されたものと想定する。
【００３３】
移動局Ｔにおいて、移動局無線装置３は、アンテナを介して基地局Ｂから受信した無線信号の周波数変換（ダウンコンバート）及び復調を行うことでパケットＰ１を抽出し、当該抽出したパケットＰ１を移動局制御装置９に出力する（ステップＳ３）。
そして、移動局制御装置９は、移動局無線装置３から入力されるパケットＰ１の巡回冗長検査を行い、基地局ＢからパケットＰ１を正常に受信できたと判断すると、パケットＰ１に対応するＡＣＫパケットＡＰ１を移動局無線装置３に出力する（ステップＳ４）。
移動局無線装置３は、ＡＣＫパケットＡＰ１の変調及び周波数変換（アップコンバート）を行うことで無線信号を生成し、当該無線信号をアンテナを介して基地局Ｂへ送信する（ステップＳ５）。ここで、ＡＣＫパケットＡＰ１を含む無線信号は、ＡＣＫタイムアウト時間が満了する前に、正常に基地局Ｂにて受信されたものと想定する。
【００３４】
基地局Ｂにおいて、基地局無線装置１は、アンテナを介して移動局Ｔから受信した無線信号の周波数変換（ダウンコンバート）及び復調を行うことでＡＣＫパケットＡＰ１を抽出し、当該抽出したＡＣＫパケットＡＰ１を基地局制御装置２の通信制御部２ｃに出力する（ステップＳ６）。
そして、通信制御部２ｃは、基地局無線装置１からＡＣＫパケットＡＰ１が入力されると、タイマ部２ｂに対してＡＣＫタイムアウト時間の計時を終了するように指示した後、送信データバッファ２ａから次に送信すべきパケットＰ２を取り出して基地局無線装置１に出力すると共に、タイマ部２ｂに対して、再度、ＡＣＫタイムアウト時間の計時開始を指示する（ステップＳ７）。
そして、基地局無線装置１は、通信制御部２ｃの制御に応じて、パケットＰ２の変調及び周波数変換（アップコンバート）を行うことで無線信号を生成し、当該無線信号をアンテナを介して移動局Ｔへ送信する（ステップＳ８）。ここで、パケットＰ２を含む無線信号は正常に移動局Ｔにて受信されたものと想定する。
【００３５】
移動局Ｔにおいて、移動局無線装置３は、アンテナを介して基地局Ｂから受信した無線信号の周波数変換（ダウンコンバート）及び復調を行うことでパケットＰ２を抽出し、当該抽出したパケットＰ２を移動局制御装置９に出力する（ステップＳ９）。
そして、移動局制御装置９は、移動局無線装置３から入力されるパケットＰ２の巡回冗長検査を行い、基地局ＢからパケットＰ２を正常に受信できたと判断すると、パケットＰ２に対応するＡＣＫパケットＡＰ２を移動局無線装置３に出力する（ステップＳ１０）。
移動局無線装置３は、ＡＣＫパケットＡＰ２の変調及び周波数変換（アップコンバート）を行うことで無線信号を生成し、当該無線信号をアンテナを介して基地局Ｂへ送信する（ステップＳ１１）。ここで、ＡＣＫパケットＡＰ２を含む無線信号は、ＡＣＫタイムアウト時間が満了する前に、正常に基地局Ｂにて受信されたものと想定する。
【００３６】
基地局Ｂにおいて、基地局無線装置１は、アンテナを介して移動局Ｔから受信した無線信号の周波数変換（ダウンコンバート）及び復調を行うことでＡＣＫパケットＡＰ２を抽出し、当該抽出したＡＣＫパケットＡＰ２を基地局制御装置２の通信制御部２ｃに出力する（ステップＳ１２）。
そして、通信制御部２ｃは、基地局無線装置１からＡＣＫパケットＡＰ２が入力されると、タイマ部２ｂに対してＡＣＫタイムアウト時間の計時を終了するように指示した後、送信データバッファ２ａから次に送信すべきパケットＰ３を取り出して基地局無線装置１に出力すると共に、タイマ部２ｂに対して、再度、ＡＣＫタイムアウト時間の計時開始を指示する（ステップＳ１３）。
そして、基地局無線装置１は、通信制御部２ｃの制御に応じて、パケットＰ３の変調及び周波数変換（アップコンバート）を行うことで無線信号を生成し、当該無線信号をアンテナを介して移動局Ｔへ送信する（ステップＳ１４）。
【００３７】
ここで、パケットＰ３を含む無線信号の送信中に、無線通信路が障害物によって遮断されて無線リンクが切断された状態（リンクダウン）になったと想定する。この場合、移動局ＴにはパケットＰ３を含む無線信号が到達しないため、移動局Ｔから基地局ＢへパケットＰ３に対応するＡＣＫパケットＡＰ３は送信されない。このような状況下で従来技術を採用した場合、ＡＣＫタイムアウト時間が満了するまでパケットＰ３の再送を行うことはできず、通信性能の低下を招くことになる。
【００３８】
一方、上述したように、本実施形態における基地局Ｂの通信制御部２ｃは、タイマ部２ｂからＡＣＫタイムアウト時間の満了を通知される前であっても、リンク状態検出部１ａからリンクアップ検出信号が入力された場合には、基地局無線装置１を制御して同一パケットを再送する機能を有している。
つまり、例えば、図３に示すように、パケットＰ３を含む無線信号の送信中において、障害物が移動、或いは移動局Ｔが移動するなどして無線リンクが回復し（リンクアップ）、基地局無線装置１のリンク状態検出部１ａから通信制御部２ｃへリンクアップ検出信号が出力されたと想定すると、通信制御部２ｃは、タイマ部２ｂに対してＡＣＫタイムアウト時間の計時を終了するように指示した後、送信データバッファ２ａから再送すべきパケットＰ３を取り出して基地局無線装置１に出力すると共に、タイマ部２ｂに対して、再度、ＡＣＫタイムアウト時間の計時開始を指示する（ステップＳ１５）。
【００３９】
この時、図３に示すように、再送待ち時間ｔ（前回のパケットＰ３の送信時におけるＡＣＫタイムアウト時間の計時開始タイミングから、パケットＰ３の再送時におけるＡＣＫタイムアウト時間の計時開始タイミングまでの間の時間）は、ＡＣＫタイムアウト時間ｔＡＣＫより短くなり、ＡＣＫタイムアウト時間ｔＡＣＫの満了前にパケットＰ３の再送を行うことができることがわかる。
【００４０】
以上説明したように、本実施形態によれば、ＡＣＫタイムアウト時間内における無線リンクの瞬断に対して、ＲＴＴ（Round Trip Time）に関係なく、リンクアップしたのとほぼ同時に再送パケットを送信することができるため、効率の良い再送制御が可能なり、その結果、無線通信システムにおける通信性能の低下を抑制することができる。
また、上位レイヤにおいてＴＣＰのような輻輳制御機能を有するプロトコルを採用している無線通信システムにおいて、再送待ちのために失われる時間が少ないために、輻輳制御におけるスループットの低下を最小限に抑えることが可能となる。
【００４１】
なお、本発明は上記実施形態に限定されず、以下のような変形例が挙げられる。
（１）上記実施形態では、通信相手である移動局Ｔから受信した無線信号の強度（ＲＳＳＩ：Received Signal Strength Indicator）に基づいて、移動局Ｔとの間の無線リンクの状態を検出する機能をリンク状態検出部１ａに持たせた場合を例示して説明したが、無線リンクの状態を検出する手法はこれに限定されず、他の手法、例えば、信号対雑音比（ＳＮＲ：Signal to Noise Ratio）に基づいて無線リンクの状態を検出する手法などを用いても良い。
【００４２】
（２）上記実施形態では、リンク状態検出部１ａから通信制御部２ｃへリンクアップ検出信号が出力された場合に、直ちに再送パケットの送信を行う場合を例示したが、例えば、リンク状態検出部１ａによって無線リンクの回復が検出されてから、つまりリンク状態検出部１ａからリンクアップ信号が出力されてから、所定時間経過後に再送パケットを送信する機能を通信制御部２ｃに設けても良い。また、この場合、上記の所定時間が経過する前に、リンク状態検出部１ａによって無線リンクの切断が検出された場合、つまりＲＳＳＩが所定値以下となり、リンク状態検出部１ａからリンクダウン信号が出力された場合には、再送パケットの送信を行わないことが好ましい。
これにより、無線リンクが回復してから、直ぐに再び無線リンクが切断（瞬断）されるような場合には、無駄な再送を行うことがなくなり、より効率的な再送制御が可能となる。
【００４３】
（３）上記実施形態では、再送制御方式としてStop-and-Wait方式のＡＲＱを採用した場合を例示して説明したが、本発明は、Go-Back-N方式やSelective-Repeat方式のＡＲＱを採用した場合にも適用することが可能である。これらGo-Back-N方式やSelective-Repeat方式のＡＲＱを採用する場合、連続してパケットを送信するためＡＣＫタイムアウト時間の満了待ち時間の無駄が大きく、本発明を適用することでその無駄な待ち時間を低減することができる。また、無線通信システムで用いられているような、ＨＡＲＱ（Hybrid-ARQ）を採用した場合にも本発明を適用可能である。
【００４４】
（４）上記実施形態では、基地局Ｂから移動局Ｔへパケット送信する場合（ダウンリンク）を例示して説明したが、移動局Ｔから基地局Ｂへパケット送信する場合（アップリンク）についても同様に本発明を適用することが可能である。
また、上記実施形態では、送信側（基地局Ｂ）から送信したパケットが無線リンクの切断により喪失し、受信側（移動局Ｔ）へ到達しない場合を例示して説明したが、受信側から送信側へ送信すべきＡＣＫパケットが喪失した場合についても同様に本発明を適用することができる。
【符号の説明】
【００４５】
Ｂ（Ｂ１〜Ｂ３）…基地局（無線通信装置）、Ｔ（Ｔ１〜Ｔ９）…移動局、１…基地局無線装置（通信部）、１ａ…リンク状態検出部（検出部）、２…基地局制御装置、２ａ…送信データバッファ、２ｂ…タイマ部（計時部）、２ｃ…通信制御部（制御部）、３…移動局無線装置、４…操作キー、５…表示装置、６…マイク、７…スピーカ、８…メモリ、９…移動局制御装置
【図１】
2011071782.tif 000003
【図２】
2011071782.tif 000004
【図３】
2011071782.tif 000005
【図４】
2011071782.tif 000006